(57)【要約】  本分析装置は、キャリア液貯留槽（５１、５２）と、送液ポンプ（１、２）と、試料注入装置（６）と、カラム装置（８）及び検出装置（９）と、を備える。更に、試料注入装置（６）の試料付着部を洗浄する洗浄部（３３）と、送液ポンプ（１、２）に対するエア抜き及び液充填用の配管（１７、１８）とを備える。第１排液流路（１０）は、使用済みのキャリア液を排出する。第２排液流路（１５）は、洗浄部（３３）での洗浄後の洗浄液を排出する。第３排液流路（２０）は、液充填時に余剰のキャリア液を排出する。前記第１及び第２排液流路（１０、１５）を流れる試料を含む廃液と、前記第３排液経路（２０）を流れる試料を含まない廃液とが、互いに独立した廃液経路（Ａ、Ｂ）に分離されて、分析装置外部へ排出される。
2015064687.tif 000002
【特許請求の範囲】
【請求項１】
キャリア液を貯留するキャリア液貯留槽と、該貯留槽からキャリア液を送液する送液ポンプと、該送液ポンプ吐出側のキャリア液の流路に試料を注入する試料注入装置と、該試料注入装置下流側のキャリア液の流路に配置される検出装置と、を含み、
更に、前記試料注入装置に洗浄液を供給して前記試料注入装置の試料付着部を洗浄することができる洗浄装置と、前記送液ポンプの送液開始に先立って前記送液ポンプのポンプ室内にキャリア液を充填するキャリア液充填装置とを含んで構成される、フロー式分析装置であって、
前記検出装置下流側から使用済みのキャリア液を排出する第１排液流路と、
前記洗浄装置による洗浄後の洗浄液を排出する第２排液流路と、
前記キャリア液充填装置による充填時に前記送液ポンプのポンプ室から余剰のキャリア液を排出する第３排液流路と、を有し、
前記第１及び第２排液流路を流れる試料を含む廃液と、前記第３排液経路を流れる試料を含まない廃液とが、互いに独立した廃液経路に分離されて、分析装置外部へ排出されることを特徴とする、フロー式分析装置。
【請求項２】
請求項１記載のフロー式分析装置であって、
更に、前記試料注入装置下流側のキャリア液の流路に配置されるカラム装置を含んで構成されることを特徴とする、フロー式分析装置。
【請求項３】
請求項１記載のフロー式分析装置であって、
下記（Ａ）〜（Ｃ）を具備する切換バルブを備え、
中央配管接続ポートが計量ポンプに接続し、第１配管接続ポート群のうち、１個以上の配管接続ポートが前記送液ポンプのポンプ室に接続して、前記キャリア液充填装置を構成し、
第２配管接続ポート群の隣接する２つの配管接続ポートが前記第３排液流路に介在して、前記第３排液流路を開閉することを特徴とする、フロー式分析装置。
（Ａ）以下（１）〜（３）を具備するロータ。
（１）１個以上の中央配管接続ポート。
（２）上記中央配管接続ポートから連通される１個以上の第１バルブ内流路。
（３）上記第１バルブ内流路の回動に伴って回動する、流路の長さが回動で移動する長さ１回分以上である１個以上の弧状の第２バルブ内流路。
（Ｂ）以下（４）〜（５）を具備するステータ。
（４）上記ロータの第１バルブ内流路の回動により、第１バルブ内流路を介して中央配管接続ポートと個別に連通される配管接続ポートを２個以上有し、その接続位置がロータ中心軸回りの１つの円周上にある第１配管接続ポート群。
（５）上記ロータの第１バルブ内流路と第１配管接続ポート群との接続位置がある上記円周に対して、径の異なる同軸円の円周上に弧状の第２バルブ内流路との接続位置を持ち、上記の弧状の第２バルブ内流路の回動により互いに連通される配管接続ポートを２個以上有する第２配管接続ポート群。
（Ｃ）以下（６）〜（７）の関係を満たすロータとステータの配置。
（６）上記ロータの第１バルブ内流路と個別に連通する上記ステータの第１配管接続ポート群のうち、１個以上の配管接続ポートでは、中央配管接続ポートと当該配管接続ポートとが連通されるときに、弧状の第２バルブ内流路によって、第２配管接続ポート群の２個以上の隣接する配管接続ポートが連通される。
（７）上記第１配管接続ポート群のうち、他の配管接続ポートでは、中央配管接続ポートと当該配管接続ポートとが連通されるときに、弧状の第２バルブ内流路によって、第２配管接続ポート群の上記隣接する配管接続ポートが連通されない。
【請求項４】
請求項３記載のフロー式分析装置であって、
第１配管接続ポート群のうち、他の配管接続ポートは、少なくとも２個以上あり、１つは洗浄液の貯留槽に、もう１つは前記試料注入装置に接続して、前記洗浄装置を構成することを特徴とする、フロー式分析装置。
【請求項５】
請求項１記載のフロー式分析装置であって、
更に消毒処理装置、殺菌処理装置、滅菌処理装置のうち少なくとも１つを具備することを特徴とする、フロー式分析装置。
【請求項６】
請求項１記載のフロー式分析装置であって、
前記試料は生体試料を含み、
感染性廃棄物として処理される廃液と、非感染性廃棄物として処理される廃液とが、互いに独立した廃液経路に分離されて、分析装置外部へ排出されることを特徴とする、フロー式分析装置。
【請求項７】
請求項１記載のフロー式分析装置であって、
前記試料は放射性物質を含み、
放射性廃棄物として処理される廃液と、非放射性廃棄物として処理される廃液とが、互いに独立した廃液経路に分離されて、分析装置外部へ排出されることを特徴とする、フロー式分析装置。
【請求項８】
請求項１記載のフロー式分析装置を用い、
試料を含む廃液と、試料を含まない廃液とを、互いに独立した排液経路に分離し、分析装置外部へ排出することを特徴とする、廃液分離方法。
【請求項９】
請求項８記載の廃液分離方法であって、
前記試料は、生体試料もしくは放射性物質を含むことを特徴とする、廃液分離方法。
【請求項１０】
フロー式分析装置から排出される廃液の削減方法であって、
試料に生体試料を含み、感染性廃棄物として処理される廃液について、請求項８記載の廃液分離方法を用いることを特徴とする、感染性廃棄物削減方法。
【請求項１１】
フロー式分析装置から排出される廃液の削減方法であって、
試料に放射性物質を含み、放射性廃棄物として処理される廃液について、請求項８記載の廃液分離方法を用いることを特徴とする、放射性廃棄物削減方法。
【発明の詳細な説明】
【技術分野】
【０００１】
本発明は、高速液体クロマトグラフィー（ＨＰＬＣ）方式などのフロー式分析装置において、廃液処理の方法が異なる複数の廃液を、廃液処理の方法ごとに分離して排出する機構を備えたフロー式分析装置に関する。本発明はさらに上記フロー式分析装置を用いた廃液分離方法に関する。
【背景技術】
【０００２】
例えば、非特許文献１に記載されているような、ＨＰＬＣを利用して血液中のグリコヘモグロビンを分離分析するフロー式分析装置（以下、単に分析装置と記載することもある）は、検体としての血液を希釈液で希釈して試料を調製し、この試料を試料注入装置によって分析ラインに注入し、キャリア液（溶離液）をカラムに移送することによって、ヘモグロビンＡ１ｃをはじめとするヘモグロビン各成分を分離し、分離されたヘモグロビンＡ１ｃをはじめとするヘモグロビン各成分を分光光度計などの検出装置で検出する構成である。【０００３】
このような分析装置においては、下記（１）〜（３）に記載するように互いに独立した３系統の廃液が生じる。
（１）検出装置などを含む分析系に供給された試料やキャリア液を含む廃液。
（２）試料注入装置のニードル、注入ポートなどを洗浄した廃液、及び希釈などの前処理により生じた廃液。
（３）運転準備段階での送液ポンプのエア抜き及びキャリア液充填に使用されたキャリア液よりなる廃液（特許文献１）。
そしてこれらの廃液は、例えば特許文献２で示されているような、フロー式分析装置内に具備された廃液貯留槽に集められる。さらに、重力による自然落下、または各種ポンプなどの動力を用いて、廃液貯留槽に集められた廃液は、フロー式分析装置外へ排出される。【０００４】
上記の廃液貯留槽に集められた廃液は、医療廃棄物として取り扱われる。医療廃棄物とは、医療従事者において、医療関係機関等で医療行為に伴い排出される廃棄物を指す。各種生体試料分析装置、例えば高速液体クロマトグラフィー装置、生化学自動分析装置、血球計数装置、フローサイトメトリー、フローインジェクション装置、粒径測定装置など、から生じる、生体試料を含む廃液は医療廃棄物に含まれ、医療廃液、医療系廃水、検査廃液などと呼ばれることが多い。また医療従事者において、医療行為とは無関係に排出される廃水および生体試料を含まない廃液などは、一般廃水、一般廃液などと呼ばれることが多い。
上記の廃液貯留槽に集められた廃液を含む医療廃棄物全般は、「廃棄物の処理及び清掃に関する法律」（通称廃棄物処理法）上の区分では感染性廃棄物に区分される。具体的には、「廃棄物処理法に基づく感染性廃棄物処理マニュアル（２０１２年５月  環境省大臣官房  廃棄物・リサイクル対策部）」に記載の感染性廃棄物の判断フローにより、廃棄物の形状、排出場所及び感染症の種類の規定のうち、廃棄物の形状の規定に該当することから、上記医療廃棄物は感染性廃棄物に区分される。
生体試料を含まない廃液は、上記「廃棄物処理法に基づく感染性廃棄物処理マニュアル」に記載の判断フローによれば、廃棄物の形状の規定には該当しないため、廃棄物の排出場所及び感染症の種類の規定に該当しない場合、非感染性廃棄物に区分される。
上記の感染性廃棄物及び非感染性廃棄物はさらに、産業廃棄物または一般廃棄物に区分される。
本明細書においては、廃棄物処理法上の区分に従い、廃液を感染性廃棄物及び非感染性廃棄物の区分で表記する。
尚、諸外国においては、例えば米国における「Ｇｕｉｄｅｌｉｎｅｓ  ｆｏｒ  Ｅｎｖｉｒｏｎｍｅｎｔａｌ  Ｉｎｆｅｃｔｉｏｎ  Ｃｏｎｔｒｏｌ  ｉｎ  Ｈｅａｌｔｈ−Ｃａｒｅ Ｆａｃｉｌｉｔｉｅｓ（２００３年  アメリカ疾病予防管理センター）」のような、各国の法規制、ガイドライン、指針などに則り区分される。
【先行技術文献】
【特許文献】
【０００５】
【特許文献１】特開２００６−１２６０８９号公報
【特許文献２】特開２００１−  ７４７５５号公報
【非特許文献】
【０００６】
【非特許文献１】東ソー自動グリコヘモグロビン分析計  ＨＬＣ（登録商標）−７２３Ｇ９  添付文書  （２０１０年４月９日第１版発行）
【発明の概要】
【発明が解決しようとする課題】
【０００７】
上記のフロー式分析装置を用いる医療従事者の間では、廃棄物処理コストの観点から感染性廃棄物の削減が要望されている。上記のような従来の分析装置では、互いに独立した３系統の廃液（１）、（２）及び（３）が上記廃液貯留槽で混合されるため、廃液はすべて感染性廃棄物に該当する。結果として、感染性廃棄物の総量が増えるため、分析装置からの廃液の削減に対する要望が高い。【０００８】
上記廃液貯留槽で混合される前の、互いに独立した３系統の廃液それぞれについては、（１）及び（２）の廃液は、血液などの生体試料を含むため、感染性廃棄物として処理する必要がある。一方、（３）の廃液は生体試料を含まないため、上記「廃棄物処理法に基づく感染性廃棄物処理マニュアル」に記載の感染性廃棄物の判断フローにより、廃棄物の排出場所及び感染症の種類の規定に該当しない場合、非感染性廃棄物として処理が可能である。【０００９】
しかしながら、それぞれの排液流路に対して、独立して廃液貯留槽や排液ポンプなどの排液設備を具備させると分析装置が大型化してしまうという課題があった。また、使用者が廃棄する廃液が複数となることから、感染の危険性への配慮に関して、使用者の負担が増加する。そのため、特許文献２で開示されているように、廃液を１つの廃液貯留槽に集約した後、分析装置外へ排出する構成が一般的であり、結果として感染性廃棄物として処理する廃液量が増加してしまっている。
本発明は、分析装置からの廃液を、試料を含む廃液（感染性廃棄物など）と試料を含まない廃液（非感染性廃棄物など）とに分離し、なおかつ、分析装置を小型化することを課題とする。
【課題を解決するための手段】
【００１０】
本発明に係るフロー式分析装置は、キャリア液を貯留するキャリア液貯留槽と、該貯留槽からキャリア液を送液する送液ポンプと、該送液ポンプ吐出側のキャリア液の流路に試料を注入する試料注入装置と、該試料注入装置下流側のキャリア液の流路に配置される検出装置と、を含み、更に、前記試料注入装置に洗浄液を供給して前記試料注入装置の試料付着部を洗浄することができる洗浄装置と、前記送液ポンプの送液開始に先立って前記送液ポンプのポンプ室内にキャリア液を充填するキャリア液充填装置とを含んで構成される。
本発明に係るフロー式分析装置は、また、前記検出装置下流側から使用済みのキャリア液を排出する第１排液流路と、前記洗浄装置による洗浄後の洗浄液を排出する第２排液流路と、前記キャリア液充填装置による充填時に前記送液ポンプのポンプ室から余剰のキャリア液を排出する第３排液流路と、を有する。
ここにおいて、前記第１及び第２排液流路を流れる試料を含む廃液と、前記第３排液経路を流れる試料を含まない廃液とが、互いに独立した廃液経路に分離されて、分析装置外部へ排出される。そのため、前記第１及び第２排液流路を流れる試料を含む廃液と、前記第３排液流路を流れる試料を含まない廃液とを、別々に貯留することができる。
【発明の効果】
【００１１】
本発明によれば、第１排液流路から排液される試料が注入されている使用済みのキャリア液と、第２排液流路から排液される試料付着部を洗浄した洗浄液と、第３排液流路から排液される送液ポンプの充填に用いた余剰のキャリア液とについて、第１及び第２排液流路を流れる試料を含む廃液と、第３排液流路を流れる試料を含まない廃液とに分離することができる。
その結果、前者を感染性廃棄物として、後者を非感染性廃棄物として分別できることにより、感染性廃棄物の量を低減でき、廃液全体を感染性廃棄物として処理する場合よりも処理コストを低減できる。
同様に、試料が放射性物質を含む場合は、前者を放射性廃棄物として、後者を非放射性廃棄物として分別することにより、放射性廃棄物の量を低減し、廃液全体を放射性廃棄物として処理する場合よりも処理コストを低減できる。【００１２】
さらに本発明者らは、特願２０１３−１４８１８３号（ＰＣＴ／ＪＰ２０１４／６１２５６）に記載のバルブを使用すれば、ドレインバルブが不要となるため分析装置の小型化に寄与することができ、さらに、非感染性廃棄物を分離して排出できる流路が該バルブの流路切換え機能により構築できることを見出した。【００１３】
別の実施形態として、廃液の分離機構によって分離された感染性廃棄物に対して、その感染性を減弱させるために、消毒、殺菌、あるいは滅菌処理が可能な装置を具備してもよい。消毒、殺菌、あるいは滅菌処理装置を具備することにより、使用者が廃液を取り扱う際の、感染の危険性を低減することが可能となる。また、滅菌処理を施した感染性廃棄物は、非感染性廃棄物として取り扱うことが可能となることから、感染性廃棄物量をゼロとすることができ、更なる廃棄物処理コストの低減に寄与することが可能となる。【００１４】
消毒、殺菌、あるいは滅菌処理の方法は、例えば、加熱法、ガス法、ろ過法、電磁波を用いる方法、などが挙げられるが、これらに限定されるものではない。より好ましくは、ウイルス肝炎感染対策ガイドライン−医療機関内−（厚生省保健医療局エイズ結核感染症課監修  改定III版  １９９５年）に記載されている次亜塩素酸剤、グルタールアルデヒド液など薬剤による滅菌処理を感染性廃棄物に施すことにより、感染性廃棄物を非感染性廃棄物として取り扱うことが可能となる。
【図面の簡単な説明】
【００１５】
【図１】本発明に係る廃液分離機構を具備するＨＰＬＣ方式のフロー式分析装置の一実施形態を示すシステム図
【発明を実施するための形態】
【００１６】
以下に本発明の実施の形態について説明する。
図１は本発明の一実施形態として、バルブ１６に特願２０１３−１４８１８３号（ＰＣＴ／ＪＰ２０１４／６１２５６）に記載のバルブを使用した場合のシステム図である。
【００１７】
本実施形態のＨＰＬＣ方式のフロー式分析装置は、ＨＰＬＣの原理により分析可能な各種の分析対象、例えば、血液中のヘモグロビンＡ１ｃをはじめとするヘモグロビン各成分などを分析するために用いられる。
【００１８】
図１のＨＰＬＣ方式のフロー式分析装置には、例えば分離溶媒の濃度など、互いに組成の異なる第１及び第２のキャリア液（溶離液）の貯留槽（タンク）５１、５２と希釈・洗浄液の貯留槽５３とが、共通の脱気装置５４を介して、接続される。尚、第１及び第２のキャリア液の貯留槽５１、５２と希釈・洗浄液の貯留槽５３は試薬キット５０としてキット化されていてもよい。さらに希釈・洗浄液の貯留槽５３は、それぞれ別個の貯留槽に分割されていてもよく、すなわち希釈液の貯留槽５３ａと洗浄液の貯留槽５３ｂとに分割されていてもよい。
【００１９】
図１のＨＰＬＣ方式のフロー式分析装置は、貯留槽５１、５２から第１及び第２のキャリア液を送給する送液ポンプ１、２と、これらの送液ポンプ１、２からのキャリア液を混合するミキサー３と、ミキサー３に連通して送液中の脈動を吸収するパルスダンパ４と、ミキサー３からのキャリア液の流路５と、流路５が入口ポートに接続される試料注入装置６と、試料注入装置６の出口ポートに接続されるキャリア液の流路７と、流路７に配置されるカラム装置８及び検出装置９と、これらの下流の排液流路１０（第１排液流路）とを含んで構成される。
【００２０】
第１及び第２のキャリア液の送液ポンプ１、２は、それぞれ、シングルプランジャポンプであり、プランジャにより容積変化するポンプ室（シリンダ室）の吸入口及び吐出口にそれぞれ逆止弁（一方向弁）６１〜６４を有している。また、送液ポンプ１、２は、プランジャストロークの変更によって吐出容積を変更することができる可変容積型のポンプであり、２つの送液ポンプ１、２の流量比を変えることができる。
【００２１】
ミキサー３は、送液ポンプ１からの第１のキャリア液と送液ポンプ２からの第２のキャリア液とを混合して、均一化する。ミキサー３は、具体的には、円筒容器内に２種のキャリア液を接線方向に導入して混合し、混合液を軸線方向に導出させる。従って、送液ポンプ１、２の流量比の変更とミキサー３による混合とで、第１のキャリア液の濃度と第２のキャリア液の濃度との間の任意の濃度のキャリア液を得ることができる（グラジエント機能）。尚、ミキサー３には運転準備段階でエア抜き及びキャリア液充填を行うための配管１９が接続されている。この配管１９は通常運転中は後述する切換バルブ１６にて閉じられている。
【００２２】
パルスダンパ４は、ミキサー３内の空間に連通するダイアフラム式のダンパであり、特に小型化のために送液ポンプ１、２としてシングルプランジャポンプを用いることにより発生する脈動を吸収する。パルスダンパ４には、圧力センサが具備されていてもよい。
【００２３】
尚、送液ポンプ１、２として用いるシングルプランジャポンプは、ミキサー３とパルスダンパ４との働きで、実質的に脈動の少ない送液が可能である。
【００２４】
試料注入装置（本体）６は、詳細構造については省略するが、試料注入部２２を備えている。試料注入部２２は、ミキサー３からのキャリア液の流路５とその下流側の流路７との間に配置され、ニードル移動装置（図示せず）による上下動によって試料注入位置に移動させたニードル２７により、キャリア液に試料を注入可能である。
試料注入装置６はまた、試料注入部２２の下方に試料吸引部（容器保持部）３９を備えている。試料吸引部３９では、試料吸引位置に移動させたニードル２７により、試料を吸引可能である。従って、試料吸引部３９にて吸引した試料を試料注入部２２にてキャリア液に注入することになる。尚、吸引及び注入は、計量ポンプ（サンプリングポンプ）１１を切換バルブ１６を介してニードル２７への配管１２に接続して行う。
【００２５】
試料注入装置６はまた、試料注入部２２と試料吸引部３９との間で試料注入部２２のハウジングと一体に、ニードル２７に対する洗浄部３３を備えている。洗浄部３３では、洗浄位置に移動させたニードル２７に対し、洗浄液を供給して洗浄を行う。洗浄は、計量ポンプ１１を切換バルブ１６を介して洗浄・希釈液の貯留槽５３からの配管１３に接続して、洗浄液を吸引した後、計量ポンプ１１を切換バルブ１６を介してニードル２７への配管１２に接続して行う。
ここで、希釈・洗浄液の貯留槽５３、配管１３、切換バルブ１６、計量ポンプ１１、配管１２、ニードル２７及び洗浄部３３を含んで、洗浄装置が構成される。
洗浄後の洗浄液は、排液ポンプ１４により回収して、排液流路１５（第２排液流路）へ排出する。従って、排液流路１５（第２排液流路）は、洗浄装置による洗浄後の洗浄液を排出する。
【００２６】
さらに、試料注入装置６として、洗浄後の洗浄液量が少量であるという特徴を有する、特願２０１１−２４７６４７号（ＰＣＴ／ＪＰ２０１２／０７９１２５）または特願２０１３−０７３４５５号（ＰＣＴ／ＪＰ２０１４／０５８８２９）に記載の試料注入装置を用いると、洗浄により生じる廃液量が少量となることから、感染性廃棄物低減に好適である。
【００２７】
カラム装置８は、試料注入装置６下流のキャリア液の流路７に配置されて試料中の成分を分離する。
検出装置９は、カラム装置８の下流側に配置されて、前記分離された成分を検出し、その信号をデータ処理装置（図示せず）に送る。データ処理装置でのデータ処理結果が分析結果として出力される。
排液流路１０（第１排液流路）は、カラム装置８及び検出装置９の下流側から使用済みのキャリア液を排出する。
【００２８】
制御装置３０は、送液ポンプ１、２、試料注入装置６、検出装置９、計量ポンプ１１、排液ポンプ１４、及び切換バルブ１６を制御する。また、パルスダンパ４に圧力センサが具備されている場合には、制御装置３０に圧力センサからの信号が入力される。制御装置３０にはコンピュータ及び記録媒体が備わり、該記録媒体には各種プログラムが記録されている。
【００２９】
尚、排液流路１０（第１排液流路）、排液流路１５（第２排液流路）からの排液は試料を含むので感染性廃棄物として処理されるが、後述する排液流路２０（第３排液流路）からの排液は試料を含まないので非感染性廃棄物として処理可能である。
【００３０】
図１のフロー式分析装置は、流路切換えのための切換バルブ１６を備え、切換バルブ１６は４つの位置ａ〜ｄをとることができる。４つの位置ａ〜ｄは、計量ポンプ１１と連通する第１バルブ内流路１６ａの回動により、この第１バルブ内流路１６ａが選択的に接続されるポートａ〜ｄに対応する。また、第１バルブ内流路１６ａの回動に伴ってもう１つの弧状の第２バルブ内流路１６ｂが回動し、位置ａ、ｂでは、第２バルブ内流路１６ｂによりポートｅとポートｆとが連通する。尚、第１及び第２バルブ内流路１６ａ、１６ｂは切換バルブ１６のロータに形成され、ポートａ〜ｆは切換バルブ１６のステータに形成されている。
ポートａは、エア抜き及びキャリア液充填用の配管１７により、送液ポンプ１のポンプ室に接続されている。
ポートｂは、エア抜き及びキャリア液充填用の配管１８により、送液ポンプ２のポンプ室に接続されている。
ポートｃは、配管１２により、ニードル２７に接続されている。
ポートｄは、配管１３により、希釈・洗浄液の貯留槽５３に接続されている。
ポートｅは、ミキサー３からのエア抜き及びキャリア液充填用の配管１９に接続され、ポートｆは、排液流路２０（第３排液流路）に接続されている。
【００３１】
図１のフロー式分析装置の運転準備段階でのエア抜き及びキャリア液充填について説明する。
運転準備段階では、流路内のエア抜きを行って流路内に液を満たすため、次のような操作が自動的に行われる。
【００３２】
切換バルブ１６を位置ａにする（図１の状態）。位置ａでは、計量ポンプ１１がポートａ（配管１７）と接続されると共に、ポートｅとポートｆとが連通する。
この状態で、先ず計量ポンプ１１を吸引動作させる。すると、貯留槽５１内の第１のキャリア液が送液ポンプ１の吸入側の逆止弁６１を通り、送液ポンプ１のポンプ室から配管１７を通って、計量ポンプ１１内に吸入される。これにより、第１のキャリア液の貯留槽５１から送液ポンプ１までの流路がキャリア液で満たされる。
次に計量ポンプ１１を吐出動作させる。すると、計量ポンプ１１内の第１のキャリア液が配管１７により送液ポンプ１に圧送され、吐出側の逆止弁６２を開いて、ミキサー３へ流れる。そして、カラム装置８側の抵抗で、キャリア液はミキサー３を経て、配管１９へ流れ、配管１９は切換バルブ１６（ポートｅ、ｆ）を介して排液流路２０（第３排液流路）とつながっているので、排液流路２０（第３排液流路）より非感染性廃棄物として排出される。
【００３３】
次に切換バルブ１６を時計方向に６０°回動して、位置ｂにする。位置ｂでは、計量ポンプ１１がポートｂ（配管１８）と接続され、ポートｅとポートｆとは引き続き連通する。
この状態で、先ず計量ポンプ１１を吸引動作させる。すると、貯留槽５２内の第２のキャリア液が送液ポンプ２の吸入側の逆止弁６３を通り、送液ポンプ２のポンプ室から配管１８を通って、計量ポンプ１１内に吸入される。これにより、第２のキャリア液の貯留槽５２から送液ポンプ２までの流路がキャリア液で満たされる。
次に計量ポンプ１１を吐出動作させる。すると、計量ポンプ１１内の第２のキャリア液が配管１８により送液ポンプ２に圧送され、吐出側の逆止弁６４を開いて、ミキサー３へ流れる。そして、カラム装置８側の抵抗で、キャリア液はミキサー３を経て、配管１９へ流れ、配管１９は切換バルブ１６（ポートｅ、ｆ）を介して排液流路２０（第３排液経路）とつながっているので、排液流路２０（第３排液経路）より非感染性廃棄物として排出される。
ここで、計量ポンプ１１、切換バルブ１６（ポートａ、ｂ）、配管１７、１８などを含んで、送液ポンプ１、２に対するキャリア液充填装置が構成される。
排液流路２０（第３排液流路）は、キャリア液充填装置による充填時に送液ポンプ１、２のポンプ室からミキサー３、配管１９及び切換バルブ１６（ポートｅ、ｆ）を介して余剰のキャリア液を排出する。
【００３４】
次に切換バルブ１６を位置ａ、位置ｂ以外にして、送液ポンプ１、２の送給を開始し、試料注入部２２を含むキャリア液の流路５、７、カラム装置８及び検出装置９をキャリア液で満たす。
【００３５】
図１のフロー式分析装置の通常運転中の洗浄工程について説明する。
洗浄工程では、ニードル２７を洗浄位置（図示せず）に位置させる。
切換バルブ１６は先ず位置ｄにする。位置ｄでは、計量ポンプ１１がポートｄ（配管１３）と接続される。この状態で、計量ポンプ１１を吸引動作させる。すると、貯留槽５３内の洗浄液（希釈・洗浄液）が配管１３を介して計量ポンプ１１内に吸引される。
切換バルブ１６は次に位置ｃにする。位置ｃでは、計量ポンプ１１がポートｃ（配管１２）と接続される。この状態で、計量ポンプ１１を吐出動作させる。すると、計量ポンプ１１内の洗浄液が配管１２を介してニードル２７に圧送される。ニードル２７は洗浄位置に位置しており、洗浄液によってニードル２７が洗浄される。洗浄後の洗浄液は、排液ポンプ１４により回収され、排液流路１５（第２排液流路）を通って感染性廃棄物として排出される。
このとき、排液ポンプ１４の流量は計量ポンプ１１の流量より大きいので、洗浄後の洗浄液はニードルの案内孔（図示せず）より入った空気と共に、外部へ漏れることなく排液流路１５（第２排液流路）より排出される。ここで、洗浄液は空気と混合してミスト状となることで、洗浄効率を上げることができ、また洗浄液消費量の減少を図り、ニードル２７の洗浄を好適に行うことができる。
【００３６】
さらに、本洗浄方法によれば、分析装置内に洗浄後の廃液を貯留する廃液貯留槽を具備することなく、廃液を分析装置外へ排出できるため、分析装置の小型化に寄与することができる。
【００３７】
図１のフロー式分析装置の通常運転中のキャリア液の流れについて説明する。
送液ポンプ（シングルプランジャポンプ）１、２が運転されると共に、２つの送液ポンプ１、２の流量比が時間と共に変化せしめられる。そして、送液ポンプ１による第１のキャリア液と送液ポンプ２による第２のキャリア液とは、ミキサー３にて混合して均一化され、脈動はパルスダンパ４により吸収される。
このように、送液ポンプ１、２の流量比の変更と、ミキサー３及びパルスダンパ４による混合及び脈動吸収とで、第１のキャリア液の濃度と第２のキャリア液の濃度との間の任意の濃度のキャリア液を得ることができる。
【００３８】
混合されたキャリア液は、流路５により試料注入部２２へ送られ、ここで、試料として、例えば希釈・溶血済みの血液等が注入される。試料注入後のキャリア液は、流路７によりカラム装置８を経て検出装置９へ送られる。カラム装置８では、試料中の特定成分が分離される。その下流側の検出装置９では、前記分離された成分（例えばヘモグロビンＡ１ｃをはじめとするヘモグロビン成分）が吸光度測定などの検出方法により検出される。その後、試料を含むキャリア液は、排液流路１０（第１排液流路）を通って感染性廃棄物として排出される。
【００３９】
本実施形態によれば、試料を含むキャリア液は、試料注入装置６、カラム装置８、検出装置９及び排液流路１０（第１排液流路）を経た後、感染性廃棄物として排出される。また、試料が付着するニードル２７を洗浄した洗浄液は、排液ポンプ１４及び排液流路１５（第２排液流路）を経て、感染性廃棄物として排出される。さらに、ミキサー３と連通する排液流路２０（第３排液流路）の排液は試料を含まないため、非感染性廃棄物として排出される。
言い換えれば、排液流路１０（第１排液流路）及び排液流路１５（第２排液流路）を流れる試料を含む廃液と、排液流路２０（第３排液流路）を流れる廃液とが、互いに独立した廃液経路Ａ、Ｂに分離されて、分析装置外部へ排出される。そのため、従来は廃液貯留槽で混合されていた感染性廃棄物と非感染性廃棄物とを、廃液経路Ａ、Ｂに分離し、それぞれ処理することができる。
以上のように、感染性廃棄物と非感染性廃棄物とを区別して排出し、それぞれを適正に管理することが可能となる。
【００４０】
尚、上記排液流路１０（第１排液流路）及び排液流路１５（第２排液流路）からの廃液は、分析装置外へ排出する際に、感染性廃棄物のみを１つの廃液貯留槽に集約できる実施態様をとることができるので、感染の危険性への配慮に関して、使用者の負担を軽減させることが可能である。
【００４１】
また、本実施形態に係る廃液分離機構を具備するフロー式分析装置は、下記（Ａ）〜（Ｃ）の構成を具備する切換バルブ１６を備える。
（Ａ）下記（１）〜（３）を具備するロータ。
（１）１個以上の中央配管接続ポート。
（２）上記中央配管接続ポートから連通される１個以上の第１バルブ内流路。
（３）上記第１バルブ内流路の回動に伴って回動する、流路の長さが回動で移動する長さ１回分以上である１個以上の弧状の第２バルブ内流路。
本実施形態では、１個の中央配管接続ポート、１個の第１バルブ内流路１６ａ、および１個の弧状の第２バルブ内流路１６ｂを有している。
（Ｂ）下記（４）〜（５）を具備するステータ。
（４）上記ロータの第１バルブ内流路１６ａの回動により、第１バルブ内流路１６ａを介して中央配管接続ポートと個別に連通される配管接続ポートを２個以上有し、その接続位置がロータ中心軸回りの１つの円周上にある第１配管接続ポート群。本実施形態では、中央配管接続ポートと個別に連通される配管接続ポートは、ａ、ｂ、ｃ、ｄの４個を有している。
（５）上記ロータの第１バルブ内流路１６ａと配管接続ポート群ａ、ｂ、ｃ、ｄとの接続位置がある上記円周に対して、径の異なる同軸円の円周上に弧状の第２バルブ内流路１６ｂとの接続位置を持ち、上記の弧状の第２バルブ内流路１６ｂの回動により互いに連通される配管接続ポートを２個以上有する第２配管接続ポート群。本実施形態では、上記の弧状の第２バルブ内流路１６ｂの回動により連通される配管接続ポートは、ｅ、ｆの２個を有している。
（Ｃ）下記（６）〜（７）の関係を満たすロータとステータの配置。
（６）上記ロータの第１バルブ内流路１６ａと個別に連通する上記ステータの第１配管接続ポート群のうち、１個以上の配管接続ポートでは、中央配管接続ポートと当該配管接続ポートとが連通されるときに、弧状の第２バルブ内流路１６ｂによって２個以上の隣接する配管接続ポートが連通される。本実施形態では、中央配管接続ポートと配管接続ポートａまたはｂとが連通されるときに、弧状の第２バルブ内流路１６ｂによって配管接続ポートｅ、ｆが連通される。
（７）上記第１配管接続ポート群のうち、他の配管接続ポートでは、中央配管接続ポートと当該配管接続ポートとが連通されるときに、弧状の第２バルブ内流路１６ｂによって第２配管接続ポート群の上記隣接する配管接続ポートが連通されない。本実施形態では、中央配管接続ポートと配管接続ポートｃまたはｄとが連通されるときに、弧状の第２バルブ内流路１６ｂによって配管接続ポートｅ、ｆが連通されない。
かかる構成により、ドレインバルブを具備することなく、既に述べたような廃液の分離が可能となるため、装置の小型化に寄与できる。尚、上記（３）の弧状の第２バルブ内流路１６ｂについて、好ましい長さは、回動で移動する長さ１回分以上であり、より好ましくは２回分以上である。
【００４２】
本実施形態では、上記の切換バルブ１６を用い、切換バルブ１６の中央配管接続ポートが計量ポンプ１１に接続し、第１配管接続ポート群のポートａ、ｂが送液ポンプ１、２のポンプ室に接続して、キャリア液充填装置を構成する。また、第２配管接続ポート群のポートｅ、ｆが排液流路２０（第３排液流路）に介在して、排液流路２０（第３排液流路）を開閉する。
また、切換バルブ１６の第１配管接続ポート群のうち、エア抜き及びキャリア液充填用の配管接続ポート（ａ、ｂ）以外の、他の配管接続ポートは、少なくとも２個以上あり、１つ（ポートｄ）は洗浄液の貯留槽５３に、もう１つ（ポートｃ）は試料注入装置６のニードル２７に接続して、洗浄装置を構成する。
【００４３】
また、本実施形態に係るＨＰＬＣ方式のフロー式分析装置を用いて、キャリア液の流路に試料として血液を注入し、血液中のヘモグロビン成分を分離・検出してその成分量（ヘモグロビンＡ１ｃ値など）を計測することにより、糖尿病検査での感染性廃棄物低減に寄与することができる。
【００４４】
本実施形態では糖尿病検査を例に説明したが、生体試料を用いる分析全般についても同様の効果を得ることができる。上記分析に供する生体試料としては、各種細胞、例えば、組織細胞、血球、又は血液、尿、糞便、唾液、その他の体液や分泌液などが挙げられる。さらに、当該生体試料の由来は、動物、植物、微生物を含むあらゆる生物が挙げられ、好ましくは動物、より好ましくは哺乳動物の由来である。哺乳動物としては、ヒト、サル、マウス、ラット、モルモット、ウサギ、ヒツジ、ヤギ、ウマ、ウシ、ブタ、イヌ、ネコなどが挙げられるが、これらに限定されない。
【００４５】
さらに、試料を含む廃液と含まない廃液とで廃液処理方法が異なる場合に、本フロー式分析装置を適用して廃液を分離することができ、例えば、放射性物質を含む試料の分析で生じる廃液を放射性廃棄物と非放射性廃棄物とに分離し、それぞれ異なる廃棄物処理方法を適用する例が挙げられる。
【００４６】
また、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【産業上の利用可能性】
【００４７】
本発明に係る廃液分離方法は、これを用いたフロー式分析装置と共に、糖尿病検査等の試料分析に好適に用いることができ、産業上の利用可能性は大である。
【符号の説明】
【００４８】
１  第１の送液ポンプ（シングルプランジャポンプ）
２  第２の送液ポンプ（シングルプランジャポンプ）
３  ミキサー
４  パルスダンパ
５  キャリア液の流路
６  試料注入装置
７  キャリア液の流路
８  カラム装置
９  検出装置
１０  排液流路
１１  計量ポンプ
１２  配管
１３  配管
１４  排液ポンプ
１５  排液流路
１６  切換バルブ
１６ａ  第１バルブ内流路
１６ｂ  第２バルブ内流路
１７〜１９  配管
２０  排液流路
２２  試料注入部
２７  ニードル
３０  制御装置
３３  洗浄部
３９  試料吸引部（容器保持部）
５０  試薬キット
５１  第１のキャリア液の貯留槽
５２  第２のキャリア液の貯留槽
５３  希釈・洗浄液の貯留槽
５４  脱気装置
６１〜６４  逆止弁
【図１】
2015064687.tif 000003
【国際調査報告】
2015064687.tif 000004
2015064687.tif 000005
2015064687.tif 000006
2015064687.tif 000007